(57)【要約】【課題】複数の光源に対して順番に１光源点灯制御を行うことによってユーザに知覚されるフリッカを低減することができる技術を提供する。【解決手段】本発明の光源装置は、複数の光源を有する発光手段と、発光手段からの光を検出する検出手段と、複数の光源を順番に選択し、選択された光源以外の光源の発光輝度を一時的に低減する１光源点灯制御を行う制御手段と、を有し、発光面の領域を構成する複数の発光領域のそれぞれに２つ以上の光源が配置されるように、複数の光源が配置されており、複数の発光領域は、互いに異なる位相で周期的に発光し、１光源点灯制御は、周期的な発光の途中で、選択された光源以外の光源の発光輝度を一時的に低減する制御である光源装置において、制御手段は、同じ発光領域に配置された光源に対する１光源点灯制御が連続して行われない順番で、１光源点灯制御の対象の光源を選択する。【選択図】図１０
2015043287.tif 000002
【特許請求の範囲】
【請求項１】
複数の光源を有する発光手段と、
前記発光手段からの光を検出する検出手段と、
前記複数の光源を順番に選択し、選択された光源からの光のみが前記検出手段で検出されるように、前記選択された光源以外の光源の発光輝度を一時的に低減する１光源点灯制御を行う制御手段と、
を有し、
発光面の領域を構成する複数の発光領域のそれぞれに２つ以上の光源が配置されるように、前記複数の光源が配置されており、
前記複数の発光領域は、互いに異なる位相で周期的に発光し、
前記１光源点灯制御は、周期的な発光の途中で、前記選択された光源以外の光源の発光輝度を一時的に低減する制御である
光源装置において、
前記制御手段は、同じ発光領域に配置された光源に対する１光源点灯制御が連続して行われない順番で、前記１光源点灯制御の対象の光源を選択する
ことを特徴とする光源装置。
【請求項２】
前記制御手段は、前記複数の発光領域のそれぞれにおいてその発光領域における輝度変動の低周波成分の周波数が６０Ｈｚ以上となる順番で、前記１光源点灯制御の対象の光源を選択する
ことを特徴とする請求項１に記載の光源装置。
【請求項３】
前記複数の発光領域のそれぞれにおいてその発光領域における輝度変動の低周波成分の周波数が６０Ｈｚ以上となる順番が複数存在する場合に、前記制御手段は、複数の順番のうち前記低周波成分の振幅が最小となる順番で、前記１光源点灯制御の対象の光源を選択する
ことを特徴とする請求項１または２に記載の光源装置。
【請求項４】
前記制御手段は、前記複数の発光領域のそれぞれにおいてその発光領域における輝度変動の低周波成分の周波数が６０Ｈｚ以上となる順番及び頻度で、前記１光源点灯制御の対象の光源を選択する
ことを特徴とする請求項１〜３のいずれか１項に記載の光源装置。
【請求項５】
前記１光源点灯制御は、前記選択された光源以外の光源を一時的に消灯する制御であることを特徴とする請求項１〜４のいずれか１項に記載の光源装置。
【請求項６】
前記制御手段は、前記光源が点灯を開始するタイミングで当該光源に対する１光源点灯制御を開始する
ことを特徴とする請求項１〜５のいずれか１項に記載の光源装置。
【請求項７】
前記制御手段は、前記発光面の中央に近い光源に対する１光源点灯制御を優先して行うことを特徴とする請求項１〜６のいずれか１項に記載の光源装置。
【請求項８】
複数の光源を有する発光手段と、
前記発光手段からの光を検出する検出手段と、
前記複数の光源を順番に選択し、選択された光源からの光のみが前記検出手段で検出されるように、前記選択された光源以外の光源の発光輝度を一時的に低減する１光源点灯制御を行う制御手段と、
を有し、
発光面の領域を構成する複数の発光領域のそれぞれに２つ以上の光源が配置されるように、前記複数の光源が配置されており、
前記複数の発光領域は、互いに異なる位相で周期的に発光し、
前記１光源点灯制御は、周期的な発光の途中で、前記選択された光源以外の光源の発光輝度を一時的に低減する制御である
光源装置において、
前記制御手段は、前記複数の発光領域のそれぞれにおいてその発光領域における輝度変動の低周波成分の周波数が６０Ｈｚ以上となる順番で、前記１光源点灯制御の対象の光源を選択する
ことを特徴とする光源装置。
【請求項９】
複数の光源を有する発光手段と、
前記発光手段からの光を検出する検出手段と、
を有する光源装置の制御方法であって、
前記複数の光源を順番に選択する選択ステップと、
選択された光源からの光のみが前記検出手段で検出されるように、前記選択された光源以外の光源の発光輝度を一時的に低減する１光源点灯制御を行う制御ステップと、
を有し、
発光面の領域を構成する複数の発光領域のそれぞれに２つ以上の光源が配置されるように、前記複数の光源が配置されており、
前記複数の発光領域は、互いに異なる位相で周期的に発光し、
前記１光源点灯制御は、周期的な発光の途中で、前記選択された光源以外の光源の発光輝度を一時的に低減する制御であり、
前記選択ステップでは、同じ発光領域に配置された光源に対する１光源点灯制御が連続して行われない順番で、前記１光源点灯制御の対象の光源を選択する
ことを特徴とする光源装置の制御方法。
【請求項１０】
前記選択ステップでは、前記複数の発光領域のそれぞれにおいてその発光領域における輝度変動の低周波成分の周波数が６０Ｈｚ以上となる順番で、前記１光源点灯制御の対象の光源を選択する
ことを特徴とする請求項９に記載の光源装置の制御方法。
【請求項１１】
前記複数の発光領域のそれぞれにおいてその発光領域における輝度変動の低周波成分の周波数が６０Ｈｚ以上となる順番が複数存在する場合に、前記選択ステップでは、複数の順番のうち前記低周波成分の振幅が最小となる順番で、前記１光源点灯制御の対象の光源を選択する
ことを特徴とする請求項９または１０に記載の光源装置の制御方法。
【請求項１２】
前記選択ステップでは、前記複数の発光領域のそれぞれにおいてその発光領域における輝度変動の低周波成分の周波数が６０Ｈｚ以上となる順番及び頻度で、前記１光源点灯制御の対象の光源を選択する
ことを特徴とする請求項９〜１１のいずれか１項に記載の光源装置の制御方法。
【請求項１３】
前記１光源点灯制御は、前記選択された光源以外の光源を一時的に消灯する制御であることを特徴とする請求項９〜１２のいずれか１項に記載の光源装置の制御方法。
【請求項１４】
前記制御ステップでは、前記光源が点灯を開始するタイミングで当該光源に対する１光源点灯制御を開始する
ことを特徴とする請求項９〜１３のいずれか１項に記載の光源装置の制御方法。
【請求項１５】
前記制御ステップでは、前記発光面の中央に近い光源に対する１光源点灯制御を優先して行う
ことを特徴とする請求項９〜１４のいずれか１項に記載の光源装置の制御方法。
【請求項１６】
複数の光源を有する発光手段と、
前記発光手段からの光を検出する検出手段と、
を有する光源装置の制御方法であって、
前記複数の光源を順番に選択する選択ステップと、
選択された光源からの光のみが前記検出手段で検出されるように、前記選択された光源以外の光源の発光輝度を一時的に低減する１光源点灯制御を行う制御ステップと、
を有し、
発光面の領域を構成する複数の発光領域のそれぞれに２つ以上の光源が配置されるように、前記複数の光源が配置されており、
前記複数の発光領域は、互いに異なる位相で周期的に発光し、
前記１光源点灯制御は、周期的な発光の途中で、前記選択された光源以外の光源の発光輝度を一時的に低減する制御であり、
前記選択ステップでは、前記複数の発光領域のそれぞれにおいてその発光領域における輝度変動の低周波成分の周波数が６０Ｈｚ以上となる順番で、前記１光源点灯制御の対象の光源を選択する
ことを特徴とする光源装置の制御方法。
【請求項１７】
請求項９〜１６のいずれか１項に記載の光源装置の制御方法の各ステップをコンピュータに実行させることを特徴とするプログラム。
【発明の詳細な説明】
【技術分野】
【０００１】
本発明は、光源装置、光源装置の制御方法、及び、プログラムに関する。
【背景技術】
【０００２】
カラー画像表示装置には、カラーフィルタを有するカラー液晶パネルと、カラー液晶パネルの背面に白色光を照射する光源装置（バックライト装置）とを有するものがある。
従来、光源装置の発光素子として、冷陰極管（ＣＣＦＬ：Ｃｏｌｄ  Ｃａｔｈｏｄｅ  Ｆｌｕｏｒｅｓｃｅｎｔ  Ｌａｍｐ）等の蛍光ランプが主に用いられていた。しかし近年、光源装置の発光素子として、消費電力、寿命、色再現性、環境負荷の面で優れた発光ダイオード（ＬＥＤ：Ｌｉｇｈｔ  Ｅｍｉｔｔｉｎｇ  Ｄｉｏｄｅ）が用いられるようになってきている。
【０００３】
発光素子としてＬＥＤを用いた光源装置（ＬＥＤバックライト装置）は、一般に、多数のＬＥＤを有する。特許文献１には、それぞれが１つ以上のＬＥＤを有する複数の光源を有するＬＥＤバックライト装置が開示されている。また、特許文献１には、光源毎に、その光源の発光輝度を制御することが開示されている。カラー画像表示装置の画面のうち暗い画像が表示される領域に光を照射する光源の発光輝度を落とすことで、消費電力が低減し、画像のコントラストが向上する。このような、画像の特徴に応じた光源毎の輝度制御をローカルディミング制御と呼ぶ。
【０００４】
光源装置には、光源の発光輝度が変化してしまう問題がある。発光輝度の変化は、例えば、温度変化による発光素子の発光特性の変化、発光素子の経年劣化などにより生じてしまう。複数の光源を有する発光装置では、複数の光源の温度や経年劣化度合いがばらつくことにより、複数の光源の発光輝度のばらつき（輝度むら）が生じてしまう。
このような発光輝度の変化や輝度むらを低減する手法として、光センサを用いて光源の発光輝度を調整する手法が知られている。具体的には、光源装置から発せられた光のうち、光源装置が有する光学シート（光学部材）で反射され光源側に戻された反射光を検出する光センサを設け、光センサの検出値（光検出値）に基づいて光源の発光輝度を調整する手法が知られている。複数の光源を有する発光装置では、複数の光源が順番に選択され、選択された光源のみを点灯させる１光源点灯制御が行われる。そして、光源毎に、その光源に対する１光源点灯制御が行われている最中に、当該光源からの光（具体的には反射光）が光センサで検出される。その後、光源毎の光検出値に基づいて、各光源の発光輝度が調整される。そのような技術は、例えば、特許文献２に開示されている。
【先行技術文献】
【特許文献】
【０００５】
【特許文献１】特開２００１−１４２４０９号公報
【特許文献２】特開２０１１−２７９４１号公報
【発明の概要】
【発明が解決しようとする課題】
【０００６】
光源装置（光源装置を用いた画像表示装置）の利便性の観点から、各光源の発光輝度の調整は、通常使用時に行われることが好ましい。そのため、複数の光源を有する発光装置では、１光源点灯制御として、各光源が通常の発光を行っている途中で、１つの光源のみが点灯するように各光源の点灯状態を切り替える制御が行われることが好ましい。しかしながら、そのような１光源点灯制御を行うと、光源装置の発光面上の輝度や、光源装置を用いた画像表示装置の画面上の輝度が、１光源点灯制御を行うことによって大きく変動し
てしまうことがある。また、複数の光源に対して順番にそのような１光源点灯制御を行うと、大きな輝度変動が繰り返し発生してしまうことがある。そして、繰り返し発生する大きな輝度変動は、ユーザに妨害感（具体的にはフリッカ）として知覚されてしまう虞がある。
【０００７】
本発明は、複数の光源に対して順番に１光源点灯制御を行うことによってユーザに知覚されるフリッカを低減することができる技術を提供することを目的とする。
【課題を解決するための手段】
【０００８】
本発明の第１の態様は、
複数の光源を有する発光手段と、
前記発光手段からの光を検出する検出手段と、
前記複数の光源を順番に選択し、選択された光源からの光のみが前記検出手段で検出されるように、前記選択された光源以外の光源の発光輝度を一時的に低減する１光源点灯制御を行う制御手段と、
を有し、
発光面の領域を構成する複数の発光領域のそれぞれに２つ以上の光源が配置されるように、前記複数の光源が配置されており、
前記複数の発光領域は、互いに異なる位相で周期的に発光し、
前記１光源点灯制御は、周期的な発光の途中で、前記選択された光源以外の光源の発光輝度を一時的に低減する制御である
光源装置において、
前記制御手段は、同じ発光領域に配置された光源に対する１光源点灯制御が連続して行われない順番で、前記１光源点灯制御の対象の光源を選択する
ことを特徴とする光源装置である。
【０００９】
本発明の第２の態様は、
複数の光源を有する発光手段と、
前記発光手段からの光を検出する検出手段と、
を有する光源装置の制御方法であって、
前記複数の光源を順番に選択する選択ステップと、
選択された光源からの光のみが前記検出手段で検出されるように、前記選択された光源以外の光源の発光輝度を一時的に低減する１光源点灯制御を行う制御ステップと、
を有し、
発光面の領域を構成する複数の発光領域のそれぞれに２つ以上の光源が配置されるように、前記複数の光源が配置されており、
前記複数の発光領域は、互いに異なる位相で周期的に発光し、
前記１光源点灯制御は、周期的な発光の途中で、前記選択された光源以外の光源の発光輝度を一時的に低減する制御であり、
前記選択ステップでは、同じ発光領域に配置された光源に対する１光源点灯制御が連続して行われない順番で、前記１光源点灯制御の対象の光源を選択する
ことを特徴とする光源装置の制御方法である。
【００１０】
本発明の第３の態様は、上述した光源装置の制御方法の各ステップをコンピュータに実行させることを特徴とするプログラムである。
【発明の効果】
【００１１】
本発明によれば、複数の光源に対して順番に１光源点灯制御を行うことによってユーザに知覚されるフリッカを低減することができる。
【図面の簡単な説明】
【００１２】
【図１】本実施形態に係る画像表示装置の構成の一例を示す図
【図２】本実施形態に係るバックライト装置の構成の一例を示すブロック図
【図３】本実施形態に係るバックライト装置の発光制御の一例を示す図
【図４】本実施形態に係るバックライト装置の輝度変動の一例を示す図
【図５】フリッカが知覚される光源の選択順序の一例を示す図
【図６】１光源点灯制御による輝度低下の一例を示す図
【図７】１光源点灯制御による輝度低下量の一例を示す表
【図８】本実施形態の課題の一例を示す図
【図９】本実施形態に係る光源の選択順序の一例を示す図
【図１０】本実施形態の効果の一例を示す図
【図１１】本実施形態に係る光源の選択順序の一例を示す図
【図１２】本実施形態に係る光源の選択順序の一例を示す図
【図１３】本実施形態の効果の一例を示す図
【発明を実施するための形態】
【００１３】
本発明の実施形態に係る光源装置及びその制御方法について説明する。
なお、以下では、本実施形態に係る光源装置が、光源装置から発せられた光を変調することで画面に画像を表示する画像表示装置で使用されるものである場合の例を説明するが、本実施形態に係る光源装置はこれに限らない。本実施形態に係る光源装置は、例えば、街灯、室内照明などの照明装置であってもよい。
なお、以下では、本実施形態に係る画像表示装置が、透過型の液晶表示装置である場合の例を説明するが、本実施形態に係る画像表示装置はこれに限らない。本実施形態に係る画像表示装置は、光源装置から発せられた光を変調することで画面に画像を表示する画像表示装置であればよい。例えば、本実施形態に係る画像表示装置は、反射型の液晶表示装置であってもよい。また、本実施形態に係る画像表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
また、以下では、本実施形態に係る画像表示装置がカラー画像表示装置である場合の例を説明するが、本実施形態に係る画像表示装置はモノクロ画像表示装置であってもよい。
【００１４】
図１（Ａ）は、本実施形態に係るカラー画像表示装置の構成の一例を示す模式図である。カラー画像表示装置は、バックライト装置（光源装置）とカラー液晶パネル１０５を有する。バックライト装置は、光源基板１０１、拡散板１０２、集光シート１０３、反射型偏光フィルム１０４などを有する。
光源基板１０１は、カラー液晶パネル１０５の背面に照射する光（白色光）を発する発光部である。光源基板１０１は、複数の光源を有する。光源は、１つ以上の発光素子を有する。発光素子としては、発光ダイオード（ＬＥＤ）、冷陰極管、有機ＥＬ素子などを用いることができる。
拡散板１０２、集光シート１０３、反射型偏光フィルム１０４は、光源基板と平行に配置され、光源基板１０１からの光に光学的な変化を与える。
具体的には、拡散板１０２は、上記複数の発光素子（本実施形態ではＬＥＤチップ）からの光を拡散させることにより、光源基板１０１を面光源として機能させる。
集光シート１０３は、拡散板１０２で拡散し、様々な入射角度で入射した白色光を、正面方向（カラー液晶パネル１０５側）に集光することにより、正面輝度（正面方向の輝度）を向上させる。
反射型偏光フィルム１０４は、入射した白色光を効率的に偏光することにより、正面輝度を向上させる。
拡散板１０２、集光シート１０３、反射型偏光フィルム１０４は重ねて用いられる。以後、これらの光学部材をまとめて光学シート１０６と呼ぶ。なお、光学シート１０６には
、上述した光学部材以外の部材が含まれていてもよいし、上述した光学部材の少なくともいずれか１つが含まれていなくてもよい。また、光学シート１０６とカラー液晶パネル１０５は一体で構成されていてもよい。
カラー液晶パネル１０５は、赤色の光を透過するＲサブ画素、緑色の光を透過するＧサブ画素、青色の光を透過するＢサブ画素からなる画素を複数有しており、照射された白色光の輝度をサブ画素毎に制御することでカラー画像を表示する。
以上で説明したような構成（図１（Ａ）に示すような構成）のバックライト装置を、一般的に直下型バックライト装置と呼ぶ。
【００１５】
図１（Ｂ）は、光源基板１０１の構成の一例を示す模式図である。
光源基板１０１は、複数の光源を有する。
図１（Ｂ）の例では、光源基板１０１は、マトリクス状に配置された５行×２列の合計１０個のＬＥＤ基板１１０を有する。なお、本実施形態では光源基板１０１が複数のＬＥＤ基板を有するものとしたが、光源基板１０１は１つのＬＥＤ基板を有していてもよい。例えば、図１（Ｂ）の１０個のＬＥＤ基板は１つのＬＥＤ基板であってもよい。
【００１６】
図１（Ｃ）は、ＬＥＤ基板１１０の構成の一例を示す模式図である。
各ＬＥＤ基板１１０は、１行×４列の合計４つの光源１１１を有する。即ち、光源基板１０１は、５行×８列の合計４０個の光源１１１を有する。
各光源１１１には４つの発光素子（ＬＥＤチップ１１２）が設けられており、各光源１１１の発光輝度は個別に制御することができる。ＬＥＤチップ１１２としては、例えば、白色光を発する白色ＬＥＤを用いることができる。ＬＥＤチップ１１２として、発する光の色が互いに異なる複数のＬＥＤ（例えば、赤色光を発する赤色ＬＥＤ、緑色光を発する緑色ＬＥＤ、青色光を発する青色ＬＥＤなど）を用いて白色光が得られるように構成されたチップを用いてもよい。１つの光源１１１に設けられたＬＥＤチップ１１２の数は４つより多くても少なくてもよい。１つの光源に１つのＬＥＤチップ１１２が設けられていてもよい。
ＬＥＤ基板１１０には、光源基板１０１から発せられた光を検出し、検出値（光検出値）を出力する光センサ１１３（検出部）が設けられている。光源１１１からの光の一部は、光学シート（拡散板や反射型偏光フィルム）などで反射され、光源側へ戻される。光センサ１１３は、光学シート１０６に対向するように設けられており、光学シート１０６で反射され光源側に戻された反射光を検出する。反射光の輝度から、光源１１１の発光輝度を予測することができる。本実施形態では、光源１１１毎に１つの光センサ１１３が設けられている。そのため、図１（Ｃ）の例では、１つのＬＥＤ基板１１０に対して、４つの光センサ１１３が設けられている。光センサ１１３としては、フォトダイオードやフォトトランジスタなど、光検出値として輝度を出力するセンサを用いることができる。また、輝度の他に色の変化などを出力するカラーセンサを、光センサ１１３として用いてもよい。
なお、光センサ１１３は、光源基板１０１から発せられた光が直接入射するように設けられていてもよい。例えば、光センサ１１３は、光源基板１０１の発光面と対向するように設けられていてもよい。
なお、１つの光源１１１に対して複数の光センサ１１３が設けられていてもよいし、複数の光源１１１に対して１つの光センサ１１３が設けられていてもよい。
【００１７】
図１（Ｄ）は、正面方向（カラー液晶パネル１０５側）から見た場合の、ＬＥＤ基板１１０、光源１１１の配置の一例を示す模式図である。左上端に配置されたＬＥＤ基板１１０（１，１）の右側には、ＬＥＤ基板１１０（１，２）が隣接する。ＬＥＤ基板１１０（１，１）の下側には、ＬＥＤ基板１１０（２，１）、ＬＥＤ基板１１０（３，１）、ＬＥＤ基板１１０（４，１）およびＬＥＤ基板１１０（５，１）が順に並ぶ。ＬＥＤ基板１１０（２，１）の右側には、ＬＥＤ基板１１０（２，２）が隣接する。ＬＥＤ基板１１０（
３，１）の右側には、ＬＥＤ基板１１０（３，２）が隣接する。ＬＥＤ基板１１０（４，１）の右側には、ＬＥＤ基板１１０（４，２）が隣接する。ＬＥＤ基板１１０（５，１）の右側には、ＬＥＤ基板１１０（５，２）が隣接する。
ＬＥＤ基板１１０（Ｘ，Ｙ）（Ｘ＝１〜５，Ｙ＝１〜２）は、４つの光源１１１（Ｘ，Ｙ，Ｚ）（Ｚ＝１〜４）を有する。例えば、ＬＥＤ基板１１０（１，１）は、光源１１１（１，１，１）、光源１１１（１，１，２）、光源１１１（１，１，３）および光源１１１（１，１，４）を有する。Ｚは、光源１１１の水平位置を示す値であり、最も左側の光源１１１の位置でＺ＝１となり、位置が右側に進むにつれて増加する値である。
【００１８】
図２は、バックライト装置の構成の一例を示すブロック図である。
１０個のＬＥＤ基板１１０の構成は同等であるため、一例としてＬＥＤ基板１１０（１，１）について説明する。ＬＥＤ基板１１０（１，１）は、光源１１１（１，１，１）〜１１１（１，１，４）を有する。光源１１１（１，１，１）〜１１１（１，１，４）は、それぞれ、ＬＥＤドライバ１２０（１，１，１）〜１２０（１，１，４）により駆動される。
本実施形態では、定期的もしくは特定のタイミングで、光源１１１間の温度および経年劣化度合いのばらつきによって生じる輝度むらを低減するための発光輝度調整処理が行われる。通常動作中は全ての光源１１１が発光する。発光輝度調整処理では、複数の光源が順番に選択され、選択された光源からの光（本実施形態では反射光）のみが光センサ１１３で検出されるように、選択された光源以外の光源の発光輝度を一時的に低減する１光源点灯制御が行われる。そして、光源毎の光検出値に基づいて、各光源１１１の発光輝度が調整される。発光輝度調整処理（１光源点灯制御を含む）は、後述するマイコン１２５によって行われる。
なお、本実施形態では、１光源点灯制御が、選択された光源以外の光源を一時的に消灯する処理である場合の例を説明するが、これに限らない。例えば、選択された光源以外の光源は、光検出値に影響を与えない程度の発光輝度で点灯させてもよい。
なお、本実施形態では、発光輝度を調整するために光検出値が使用される例を説明したが、光検出値の用途はこれに限らない。例えば、光検出値は他の画像表示装置で利用されてもよい。
【００１９】
図２は、光源１１１（１，１，１）からの光を示す光検出値を得る光検出処理を行う際の点灯状態を示している。図２では、光源１１１（１，１，１）は点灯させられており、他の光源１１１は強制的に消灯されられている。光源１１１（１，１，１）から発せられた光１２１（１，１，１）のうちの大部分は、カラー液晶パネル１０５（図２では不図示）へ入射する。しかし、光１２１（１，１，１）の一部は光学シート１０６（図２では不図示）から光源側へ反射光として戻され、各光センサ１１３に入射する。各光センサ１１３は、検出した反射光の輝度に応じて、当該輝度を表すアナログ値１２２（光検出値）を出力する。Ａ／Ｄコンバータ１２３は、各光センサ１１３が出力したアナログ値１２２のうち、光源１１１（１，１，１）に対応付けられている光センサ１１３（１，１，１）が出力したアナログ値１２２（１，１，１）を選択する。そして、Ａ／Ｄコンバータ１２３は、選択したアナログ値をデジタル値にアナログ−デジタル変換し、デジタル値１２４をマイコン１２５に出力する。
他の光源１１１についても同様の処理が行われる。即ち、光検出処理対象の光源１１１のみを点灯させた状態で、各光センサ１１３により反射光が検出される。そして、Ａ／Ｄコンバータ１２３によって、光検出処理対象の光源１１１に対応付けられた光センサ１１３のアナログ値１２２がデジタル値１２４に変換され、デジタル値１２４がマイコン１２５に出力される。そのため、Ａ／Ｄコンバータ１２３からは、全４０個の光検出値（デジタル値１２４）がマイコン１２５に出力される。
【００２０】
マイコン１２５は、光センサ１１３の光検出値（具体的にはデジタル値１２４）に基づ
いて光源１１１の発光輝度を調整する。本実施形態では、マイコン１２５は、光源毎に、その光源の光検出値に基づいて、当該光源の発光輝度を調整する。具体的には、カラー画像表示装置の製造検査時などに決定した各光源１１１の輝度目標値（検出値の目標値）が不揮発メモリ１２６に予め記録されている。マイコン１２５は、光源１１１毎に、その光源の光検出値と、当該光源の輝度目標値とを比較する。そして、マイコン１２５は、光源１１１毎に、上記比較の結果に応じて、光検出値が輝度目標値と一致するように発光輝度を調整する。発光輝度は、例えば、マイコン１２５からＬＥＤドライバ１２０へ出力するＬＥＤドライバ制御信号１２７を調整することにより調整される。ＬＥＤドライバ１２０は、ＬＥＤドライバ制御信号に応じて、光源１１１を駆動する。ＬＥＤドライバ制御信号は、例えば、光源１１１に印加するパルス信号（電流または電圧のパルス信号）のパルス幅を表す。その場合、ＬＥＤドライバ制御信号を調整することにより、光源１１１の発光輝度がＰＷＭ制御される。なお、ＬＥＤドライバ制御信号はこれに限らない。例えば、ＬＥＤドライバ制御信号は、光源１１１に印加するパルス信号の波高値であってもよいし、パルス幅と波高値の両方であってもよい。光検出値が輝度目標値と一致するように各光源１１１の発光輝度を調整することにより、バックライト装置全体としての輝度むらを抑制することができる。
【００２１】
本実施形態では、光源基板１０１の発光面の領域が、複数の発光領域に区分されている。換言すれば、発光面の領域は、複数の発光領域によって構成されている。そして、複数の発光領域のそれぞれに２つ以上の光源１１１が配置されるように、複数の光源１１１が配置されている。
図３（Ａ）は、正面方向（カラー液晶パネル１０５側）から見た場合の、光源基板１０１の発光領域の一例を示す模式図である。
図３（Ａ）の例では、発光面の領域が、４つのエリア１〜５に区分されている。
エリア１には、光源１１１（１，１，１）〜光源１１１（１，１，４）と、光源１１１（１，２，１）〜光源１１１（１，２，４）の合計８つの光源が配置されている。
エリア２〜５についても同様に、垂直位置が互いに等しい８つの光源１１１が配置されている。
【００２２】
本実施形態では、通常時において、複数の発光領域が互いに異なる位相で周期的に発光するように、各光源１１１がＰＷＭ制御される。具体的には、同じ発光領域に配置された複数の光源（図３（Ａ）の例では８つの光源）は、同じタイミングで点灯が開始されるように、ＰＷＭ制御される。また、発光領域間で点灯開始タイミングが異なるように、各光源がＰＷＭ制御される。図３（Ａ）の例では、エリア１、エリア２、エリア３、エリア４、エリア５の順番で点灯が開始されるように、各光源１１１がＰＷＭ制御される。
図３（Ｂ）は、ＰＷＭ制御による各発光領域の点灯・消灯タイミングの時間推移を示すタイミング図である。
各発光領域の光源１１１は、ユーザにフリッカとして知覚されることのない十分高い周波数（ここでは３００Ｈｚとする）で点灯・消灯制御される。エリア１からエリア５は順番に点灯を開始する。また、発光領域の点灯開始タイミングから次の発光領域の点灯開始タイミングの間隔は一定とされる。具体的には、エリア１が点灯を開始すると、その１／１５００秒（＝１／３００秒÷５）後にエリア２が点灯を開始する。さらに１／１５００秒後、２／１５００秒後、３／１５００秒後に、それぞれ、エリア３、エリア４、エリア５が点灯を開始する。また、エリア５の点灯開始から１／１５００秒には、再びエリア１が点灯を開始する。このような、点灯・消灯制御が繰り返し行われる。
図３（Ｂ）に示すように、各エリアのＰＷＭ制御によるデューティ比（発光輝度）が５０％である場合、エリア１の点灯終了（消灯開始）タイミングは、エリア１の点灯開始から１／６００秒（＝１／３００秒×０．５）後となる。さらに１／１５００秒後、２／１５００秒後、３／１５００秒後、４／１５００秒後に、それぞれ、エリア２、エリア３、エリア４、エリア５が点灯を終了する（消灯を開始する）。デューティ比は、発光の１周
期に対する、１周期内における総点灯時間の割合である。
図３（Ｂ）では、簡単のため、全ての光源１１１のデューティ比が５０％であるものとしたが、発光輝度調整処理を行うと、光源１１１間でデューティ比が一致しなくなることがある。
また、図３（Ｂ）では、簡単のため、発光の１周期内に１つの点灯期間と１つの消灯期間が設定される例を説明したが、発光の１周期内に複数の点灯期間や複数の消灯期間が設定されてもよい。
【００２３】
図４（Ａ）は、各発光領域の発光・消灯タイミングの時間推移を示すタイミング図であり、図３（Ｂ）と同じ図である。図４（Ｂ）は、エリア１の輝度の時間推移の関係を示すタイミング図である。図４（Ｃ）は、エリア３の輝度の時間推移の関係を示すタイミング図である。図４（Ｄ）は、エリア５の輝度の時間推移の関係を示すタイミング図である。図４（Ａ）〜４（Ｄ）において、横軸は同じ時刻を示している。
エリア１の輝度は、エリア１の発光によって大きく影響を受けるが、他のエリアの発光によっても影響を受ける。エリア１の点灯期間中に、エリア１に近いエリア２，３が点灯する期間があり、この期間でエリア１の輝度が最大となる。また、エリア１〜３が消灯し、エリア１から遠いエリア４，５が点灯する期間があり、この期間でエリア１の輝度が最小となる。
エリア１の輝度の時間推移と同様に、エリア３の点灯期間中に、エリア３に近いエリア２，４が点灯する期間があり、この期間でエリア３の輝度が最大となる。
エリア１，３の輝度の時間推移と同様に、エリア５の点灯期間中に、エリア５に近いエリア３，４が点灯する期間があり、この期間でエリア５の輝度が最大となる。
エリア２およびエリア４の輝度の時間推移については説明を割愛するが、エリア２，４にも輝度が最大となるタイミングが生じる。エリア２の輝度が最大となるタイミングは、エリア１の輝度が最大となるタイミングと、エリア３の輝度が最大となるタイミングとの間に生じる。エリア４の輝度が最大となるタイミングは、エリア３の輝度が最大となるタイミングと、エリア５の輝度が最大となるタイミングとの間に生じる。
以上の説明から分かるように、各発光領域の輝度が最大となるタイミングは、エリア１からエリア５の順番で発生する。そのため、輝度の高いエリアが画面の上側から下側へスキャン（走査）するように光源基板１０１が発光する。このようなスキャン発光のメリットは２つあり、ひとつは、点灯・消灯による電力負荷の時間推移が平滑化されることである。もうひとつは、カラー液晶パネル１０５の画像書き換えも画面の上側から下側へスキャンして行われるため、バックライト装置の発光も同じ方向にスキャンすることで、表示画像（画面に表示された画像）が安定することである。
【００２４】
次に、１光源点灯制御を行う手順について説明する。本実施形態では、１光源点灯制御として、通常の発光（周期的な発光）の途中で、選択された光源以外の光源を一時的に消灯する制御が行われる。
【００２５】
まず、ユーザにフリッカが知覚されてしまう手順について説明する。
【００２６】
図５（Ａ）は、１光源点灯制御の対象として選択される光源１１１の順序を示す一覧表である。１光源点灯制御（具体的には、マイコン１２５が１光源点灯制御を行い、Ａ／Ｄコンバータ１２３が取得した光検出値をマイコン１２５に出力する処理）は、光源１１１の数と同じ４０回行われる。なお、４０個の光源に対する４０回の１光源点灯制御が連続して繰り返し行われてもよい。
１番目の処理では、光源１１１（１，１，１）が点灯させられ、他の光源１１１が消灯させられる。そして、光源１１１（１，１，１）に対応する光センサ１１３（１，１，１）の光検出値がマイコン１２５に入力される。
２番目の処理では、光源１１１（１，１，２）が点灯させられ、他の光源１１１が消灯
させられる。そして、光源１１１（１，１，２）に対応する光センサ１１３（１，１，２）の光検出値がマイコン１２５に入力される。
説明は割愛するが、３番目以降の処理も同様に図５（Ａ）の一覧表に従って行われる。
【００２７】
図５（Ｂ）は、図５（Ａ）の一覧表における選択順序と、正面方向（カラー液晶パネル１０５側）から見た場合の光源の位置との関係を示す模式図である。
１番目から８番目の処理では、エリア１の８つの光源１１１が左から順に１光源点灯制御の対象の光源として選択される。
９番目から１６番目の処理では、エリア２の８つの光源１１１が左から順に１光源点灯制御の対象の光源として選択される。
１７番目〜２４番目の処理では、エリア３の８つの光源１１１が左から順に１光源点灯制御の対象の光源として選択される。
２５番目〜３２番目の処理では、エリア４の８つの光源１１１が左から順に１光源点灯制御の対象の光源として選択される。
３３番目〜４０番目の処理では、エリア５の８つの光源１１１が左から順に１光源点灯制御の対象の光源として選択される。
【００２８】
ここで、１光源点灯制御を行うことによって生じる各発光領域の輝度変動について詳しく説明する。輝度変動は全ての発光領域で生じるが、ここでは代表例としてエリア３の輝度変動を説明する。
【００２９】
図６（Ａ）は、エリア１に配置された光源１１１に対する１光源点灯制御を行うタイミングを示すタイミング図である。図６（Ａ）の横軸は時刻を示している。
本実施形態では、光源が点灯を開始するタイミングで当該光源に対する１光源点灯制御が開始される。そのため、エリア１の光源１１１（例えば光源１１１（１，１，１））に対する１光源点灯制御の開始時刻は、エリア１の点灯開始時刻に設定される。エリア１に配置された光源１１１からの光を検出するためには、この光源１１１が点灯している必要がある。１光源点灯制御の開始時刻をエリア１の点灯開始時刻に合わせることで、１光源点灯制御の開始時刻をデューティ比に依らず容易に設定することが可能となる。また、１光源点灯制御の対象の光源に対して新たな点灯期間を設定しなくて済むため、新たな点灯期間が設定されることによる輝度変動の発生を防止することができる。
エリア１の光源１１１に対する１光源点灯制御が行われる期間では、１光源点灯制御の対象の光源以外の光源１１１（エリア１の他の光源１１１、及び、エリア２〜５の各光源１１１）が消灯させられる。
そのため、エリア１の光源１１１のうち、１光源点灯制御の対象の光源以外の光源１１１に対しては、新たな消灯期間２０１が設定される。
通常の発光（周期的な発光）が行われる場合、エリア１の光源１１１に対する１光源点灯制御を行う期間では、エリア２，３の光源１１１は消灯する。そのため、エリア２，３の光源に対しては、新たな消灯期間は設定されない。
エリア４の光源１１１に対しては、新たな消灯期間２０２が設定される。また、エリア５の光源に対しては、新たな消灯期間２０３が設定される。
消灯期間２０１〜２０３は、いずれも、エリア１の光源１１１に対する１光源点灯制御が行われる期間と同じ期間である。
【００３０】
図６（Ｂ）は、エリア３の輝度変動を示すタイミング図である。図６（Ｂ）の横軸は、図６（Ａ）と同じ時刻を示している。
エリア３の輝度は、エリア３の発光によって大きく影響を受けるが、他のエリアの発光によっても影響を受ける。上述したように、エリア１の光源１１１に対する１光源点灯制御を行う期間において、エリア１の消灯期間２０１、エリア４の消灯期間２０２、エリア５の消灯期間２０３が新たに発生する。そのため、エリア１の光源１１１に対する１光源
点灯制御を行う期間において、エリア３には、新たな消灯期間２０１〜２０３が設定されたことによる輝度低下が発生する。具体的には、輝度低下量２０４の輝度低下が発生する。しかし、エリア１の光源１１１に対する１光源点灯制御を行う期間では、エリア３の点灯状態は“消灯”のまま変化しておらず、エリア３に隣接するエリア２の点灯状態も“消灯”のまま変化していない。そのため、輝度低下量２０４は小さな値となる。なお、図６（Ｂ）では、簡単のため、輝度低下量２０４として、エリア３の輝度をゼロにする輝度低下量を示しているが、実際にはエリア３の輝度はゼロより大きな値となる。具体的には、エリア１の光源１１１に対する１光源点灯制御を行う期間では、１光源点灯制御の対象の光源１１１は点灯しており、１光源点灯制御の対象の光源１１１からの光がエリア３に漏れ込むため、エリア３の輝度はゼロより大きな値となる。
【００３１】
図６（Ｃ）は、エリア４に配置された光源１１１に対する１光源点灯制御を行うタイミングを示すタイミング図である。図６（Ｃ）の横軸は時刻を示している。
エリア４の光源１１１（例えば光源１１１（４，１，１））に対する１光源点灯制御の開始時刻は、エリア１の光源１１１に対する１光源点灯制御の開始時刻と同様に、エリア４の点灯開始時刻に設定される。
そして、エリア４の光源１１１のうち、１光源点灯制御の対象の光源以外の光源１１１に対しては、新たな消灯期間２１３が設定される。
通常の発光（周期的な発光）が行われる場合、エリア４の光源１１１に対する１光源点灯制御を行う期間では、エリア１，５の光源１１１は消灯する。そのため、エリア１，５の光源に対しては、新たな消灯期間は設定されない。
エリア２の光源１１１に対しては、新たな消灯期間２１１が設定される。また、エリア３の光源に対しては、新たな消灯期間２１２が設定される。
消灯期間２１１〜２１３は、いずれも、エリア４の光源１１１に対する１光源点灯制御が行われる期間と同じ期間である。
【００３２】
図６（Ｄ）は、エリア３の輝度変動を示すタイミング図である。図６（Ｄ）の横軸は、図６（Ｃ）と同じ時刻を示している。
上述したように、エリア４の光源１１１に対する１光源点灯制御を行う期間において、エリア２の消灯期間２１１、エリア３の消灯期間２１２、エリア４の消灯期間２１３が新たに発生する。そのため、エリア４の光源１１１に対する１光源点灯制御を行う期間において、エリア３には、新たな消灯期間２１１〜２１３が設定されたことによる輝度低下が発生する。具体的には、輝度低下量２１４の輝度低下が発生する。ここで、エリア３の輝度に対する、エリア３の発光が与える影響は大きく、エリア３に隣接するエリア２，４の発光が与える影響も大きい。そのため、輝度低下量２１４は非常に大きな値となる。
【００３３】
図７は、１光源点灯制御を行うことによる輝度低下量を示す一覧表である。図７には、発光領域毎に、その発光領域の光源に対する１光源点灯制御を行うことによる各発光領域の輝度低下量が示されている。
エリア１には、エリア３の光源に対する１光源点灯制御を行うときに最大の輝度低下（輝度低下量が１００の輝度低下）が発生する。そして、エリア１の光源に対する１光源点灯制御を行うとき輝度低下量が６５の輝度低下が発生し、エリア２の光源に対する１光源点灯制御を行うとき輝度低下量が９０の輝度低下が発生する。また、エリア４の光源に対する１光源点灯制御を行うとき輝度低下量が４０の輝度低下が発生し、エリア５の光源に対する１光源点灯制御を行うとき輝度低下量が１５の輝度低下が発生する。このように、発光領域の輝度低下量は、１光源点灯制御の対象である光源が配置された発光領域によって大きく変化する。
エリア２〜５の輝度低下量については説明を割愛するが、エリア１の輝度低下量と同様に、それらの発光領域の輝度低下量も、１光源点灯制御の対象である光源が配置された発光領域によって大きく変化する。
【００３４】
図８（Ａ）は、図５（Ａ）の一覧表の選択順序に従って１光源点灯制御を行った場合のエリア３の輝度低下量を示すタイミング図である。
１光源点灯制御の１サイクル（制御１サイクル）においては、１光源点灯制御が合計４０回行われる。１番目の処理３０１ではエリア１の光源に対する１光源点灯制御が行われるため、エリア３の輝度低下量は図７に示したように３５と小さい。２番目から８番目の処理でもエリア１の光源に対する１光源点灯制御が行われるため、エリア３の輝度低下量は３５と小さい。また、エリア２の光源に対する１光源点灯制御が行われる９番目から１６番目の処理でも、エリア３の輝度低下量は３５と小さい。１７番目から２４番目の処理ではエリア３の光源に対する１光源点灯制御が行われるため、エリア３の輝度低下量は８０と大きな値となる。２５番目から３２番目の処理ではエリア４の光源に対する１光源点灯制御が行われるため、エリア３の輝度低下量は１００と最も大きな値となる。そして、３３番目の処理から４０番目の処理３０２ではエリア５の光源に対する１光源点灯制御が行われるため、エリア３の輝度低下量は８０と大きな値となる。以降は、再び１番目の処理から繰り返される。
【００３５】
図８（Ｂ）は、図３（Ｂ）に示すような発光が行われているときに図８（Ａ）に示す輝度低下が生じた場合の、エリア３の輝度を示す図である。図８（Ｂ）には、発光の１周期（本実施形態では１／３００秒）毎の輝度が示されている。図８（Ｂ）において、破線は、１光源点灯制御を行わなかった場合の輝度（通常輝度）を示す。図８（Ｂ）に示すように、１光源点灯制御を行わない場合には輝度変動は生じない。しかし、１光源点灯制御を行うと、図８（Ａ）の輝度低下が生じてしまう。その結果、図８（Ｂ）に示すようにエリア３の輝度は変動してしまう。
【００３６】
図８（Ｃ）は、図８（Ｂ）の輝度変動をユーザ（人間）が見た場合に、ユーザが知覚する知覚輝度を示すタイミング図である。
人間の目は輝度変動に対しＬＰＦ（ローパスフィルタ）を適用する様な特性を有する。そのため、６０Ｈｚ未満の輝度変動に対し感度が高く、約１５Ｈｚの輝度変動に対して最も感度が高いと言われている。従って、６０Ｈｚ未満の輝度変動は、ユーザにフリッカとして知覚される虞がある。一方で、６０Ｈｚ以上の輝度変動は、ユーザにフリッカとして知覚され難い。また、輝度変動の振幅が小さいほどフリッカとして知覚され難くなる。
図８（Ｂ）に示したような輝度変動が発生すると、図８（Ｃ）に示すように、ユーザが知覚する知覚輝度の変動サイクルは非常に長くなってしまう。換言すれば、知覚輝度の変動周波数は非常に小さくなってしまう。具体的には、図５（Ａ）の一覧表の選択順序に従って１／３００秒毎に合計４０回の１光源点灯制御が行われると、知覚輝度の変動サイクルは１／３００秒×４０＝１／７．５秒となってしまう。換言すれば、知覚輝度の変動周波数は、フリッカとして知覚され易い周波数７．５Ｈｚとなってしまう。また、知覚輝度の変動振幅３０３も大きな値となってしまう。
なお、ここでは、エリア３の知覚輝度について説明したが、他のエリアでも、エリア３と同様に、フリッカとして知覚される知覚輝度の変動が生じてしまう。
【００３７】
以上述べたように、図５（Ａ）の一覧表の選択順序に従って１光源点灯制御を行うと、ユーザにフリッカが知覚されてしまう。
【００３８】
以下に、ユーザにフリッカが知覚され難い手順（１光源点灯制御を行う手順）について説明する。
【００３９】
図９（Ａ）は、１光源点灯制御の対象として選択される光源の順序の一例を示す一覧表である。図５（Ａ）の一覧表に従った場合には、同じエリアの８つの光源１１１が続けて選択される。図９（Ａ）の一覧表に従った場合には、同じ発光領域に配置された光源に対
する１光源点灯制御が連続して行われない順番で、１光源点灯制御の対象の光源が選択される。具体的には、エリア１の光源、エリア２の光源、エリア３の光源、エリア４の光源、エリア５の光源に対する１光源点灯制御を順番に１回ずつ行う処理が繰り返される。
１番目の処理では、光源１１１（１，１，１）に対する１光源点灯制御が行われる。
２番目の処理では、光源１１１（２，１，１）に対する１光源点灯制御が行われる。
３番目の処理では、光源１１１（３，１，１）に対する１光源点灯制御が行われる。
４番目の処理では、光源１１１（４，１，１）に対する１光源点灯制御が行われる。
５番目の処理では、光源１１１（５，１，１）に対する１光源点灯制御が行われる。
６番目の処理では、再びエリア１の光源１１１に対する１光源点灯制御が行われる。具体的には、光源１１１（１，１，２）に対する１光源点灯制御が行われる。
以降の１光源点灯制御については説明を割愛する。
【００４０】
図９（Ｂ）は、図９（Ａ）の一覧表における選択順序と、正面方向（カラー液晶パネル１０５側）から見た場合の光源の位置との関係を示す模式図である。
１番目から５番目の処理では、エリア１〜５の左端の５つの光源１１１が順番に選択される。即ち、左端の５つの光源が上から順に１光源点灯制御の対象の光源として選択される。
６番目から１０番目の処理では、左から２番目の５つの光源が上から順に１光源点灯制御の対象の光源として選択される。
１１番目から１５番目の処理では、左から３番目の５つの光源が上から順に１光源点灯制御の対象の光源として選択される。
１６番目から２０番目の処理では、左から４番目の５つの光源が上から順に１光源点灯制御の対象の光源として選択される。
２１番目から２５番目の処理では、左から５番目の５つの光源が上から順に１光源点灯制御の対象の光源として選択される。
２６番目から３０番目の処理では、左から６番目の５つの光源が上から順に１光源点灯制御の対象の光源として選択される。
３１番目から３５番目の処理では、左から７番目の５つの光源が上から順に１光源点灯制御の対象の光源として選択される。
３６番目から４０番目の処理では、右端（左から８番目）の５つの光源が上から順に１光源点灯制御の対象の光源として選択される。
【００４１】
図１０（Ａ）は、図９（Ａ）の一覧表の選択順序に従って１光源点灯制御を行った場合のエリア３の輝度低下量を示すタイミング図である。
１光源点灯制御の１サイクル（制御１サイクル）においては、１光源点灯制御が合計４０回行われる。１番目の処理３１１ではエリア１の光源に対する１光源点灯制御が行われるため、エリア３の輝度低下量は図７に示したように３５と小さい。２番目の処理ではエリア２の光源に対する１光源点灯制御が行われるため、エリア３の輝度低下量は３５と小さい。３番目の処理ではエリア３の光源に対する１光源点灯制御が行われるため、エリア３の輝度低下量は８０と大きい。４番目の処理ではエリア４の光源に対する１光源点灯制御が行われるため、エリア３の輝度低下量は最も大きな値１００となる。５番目の処理ではエリア５の光源に対する１光源点灯制御が行われるため、エリア３の輝度低下量は８０と大きい。その後、６番目の処理から４０番目の処理３１２までの間、１番目の処理から５番目の処理までの輝度低下と同様の輝度低下が合計７回繰り返し発生する。以降は、再び１番目の処理から繰り返される。
【００４２】
図１０（Ｂ）は、図３（Ｂ）に示すような発光が行われているときに図１０（Ａ）に示す輝度低下が生じた場合の、エリア３の輝度を示す図である。図１０（Ｂ）には、発光の１周期（本実施形態では１／３００秒）毎の輝度が示されている。図１０（Ｂ）において、破線は、１光源点灯制御を行わなかった場合の輝度（通常輝度）を示す。図１０（Ｂ）
に示すように、１光源点灯制御を行わない場合には輝度変動は生じない。しかし、１光源点灯制御を行うと、図１０（Ａ）の輝度低下が生じてしまう。その結果、図１０（Ｂ）に示すようにエリア３の輝度は変動してしまう。
【００４３】
図１０（Ｃ）は、図１０（Ｂ）の輝度変動をユーザ（人間）が見た場合に、ユーザが知覚する知覚輝度を示すタイミング図である。
図１０（Ｂ）に示したような輝度変動が発生すると、図１０（Ｃ）に示すように、ユーザが知覚する知覚輝度の変動サイクルは十分に短いサイクルとなる。換言すれば、知覚輝度の変動周波数は十分に小さい値となる。具体的には、図９（Ａ）の一覧表の選択順序に従って１／３００秒毎に合計４０回の１光源点灯制御が行われると、知覚輝度の変動サイクルは１／３００秒×５＝１／６０秒となる。換言すれば、知覚輝度の変動周波数は、フリッカとして知覚され難い周波数６０Ｈｚとなる。また、知覚輝度の変動振幅３１３も小さな値となり、フリッカがより知覚され難くなる。
【００４４】
以上述べたように、本実施形態によれば、同じ発光領域に配置された光源に対する１光源点灯制御が連続して行われない順番で、１光源点灯制御の対象の光源が選択される。それにより、複数の光源に対して順番に１光源点灯制御を行うことによってユーザに知覚されるフリッカを低減することができる。
【００４５】
なお、図９（Ａ）には、エリア１〜５の順番で光源が選択される例を示したが、光源の選択順序はこれに限らない。例えば、エリア１、エリア３、エリア５、エリア２、エリア４の順番で光源が選択されてもよい。また、複数の発光領域のそれぞれにおいてその発光領域における輝度変動の低周波成分の周波数が６０Ｈｚ以上となる順番で、１光源点灯制御の対象の光源が選択されれば、どのような順番で光源が選択されてもよい。例えば、複数の発光領域のそれぞれにおいてその発光領域における輝度変動の低周波成分の周波数が６０Ｈｚ以上になるのであれば、同じ発光領域に配置された光源に対する１光源点灯制御がｎ回だけ連続して行われてもよい。ｎは、１以上の整数であり、発光領域に配置された光源の総数より小さい値である。
【００４６】
なお、本実施形態では、光源の選択順序についてのみ着目したが、光源の選択順序だけでなく、光源の選択頻度（１光源点灯制御の実施頻度）を調整してもよい。即ち、複数の発光領域のそれぞれにおいてその発光領域における輝度変動の低周波成分の周波数が６０Ｈｚ以上となる順番及び頻度で、１光源点灯制御の対象の光源が選択されてもよい。例えば、発光領域の数が１０個であった場合には、同じ発光領域に配置された光源に対する１光源点灯制御が連続して行われない順番で１光源点灯制御の対象の光源を選択し、１／６００秒毎に１光源点灯制御を行えばよい。それにより、知覚輝度の変動サイクルを１／６００秒×１０＝１／６０秒とすることができる。即ち、知覚輝度の変動周波数を、フリッカとして知覚され難い周波数６０Ｈｚとすることができる。
【００４７】
なお、図９（Ａ）の例では左端の光源から順番に選択される。しかしながら、ユーザは発光面（画面）の中央に注目する可能性が高いため、発光面の中央に近い光源に対する１光源点灯制御を優先して行い、発光面の中央に近い光源の発光輝度を優先して調整することが好ましい。それにより、発光面中央の輝度変化（光源の経年劣化や温度変化などによる輝度変化）を優先的に低減することができる。そして、画像表示装置においては、画面中央の画質を優先的に向上することができる。即ち、ユーザが注目しやすい部分の輝度変化を優先的に低減したり、ユーザが注目しやすい部分の画質を優先的に向上したりできる。
【００４８】
図１１（Ａ）は、１光源点灯制御の優先度を考慮して決定された選択順序の一例を示す一覧表である。ここで、１光源点灯制御の優先度は、画質の重要度ということもできる。
図１１（Ａ）には、優先度が高いほど低い値となる優先順位が示されている。
図１１（Ａ）の一覧表では、左から４番目の光源と右から４番目の光源、即ち発光面の水平方向における中心位置に最も近い光源の優先順位として優先度が最も高いことを示す１が設定されている。そして、発光面の水平方向における中心位置から離れるにつれて値が増すように他の光源に対して優先順位が設定されている。具体的には、左から３番目の光源と右から３番目の光源の優先順位として２が設定されており、左から２番目の光源と右から２番目の光源の優先順位として３が設定されている。そして、左端の光源と右端の光源の優先順位として優先度が最も低いことを示す２が設定されている
図１１（Ａ）の一覧表に従えば、同じ発光領域に配置された光源に対する１光源点灯制御が連続して行われない順番で、１光源点灯制御の対象の光源が選択される。さらに、優先度が高い（優先順位の値が小さい）光源から順に、１光源点灯制御の対象の光源として選択される。
１番目の処理では、光源１１１（１，１，４）に対する１光源点灯制御が行われる。
２番目の処理では、光源１１１（２，１，４）に対する１光源点灯制御が行われる。
３番目の処理では、光源１１１（３，１，４）に対する１光源点灯制御が行われる。
４番目の処理では、光源１１１（４，１，４）に対する１光源点灯制御が行われる。
５番目の処理では、光源１１１（５，１，４）に対する１光源点灯制御が行われる。
６番目の処理では、再びエリア１の光源１１１に対する１光源点灯制御が行われる。具体的には、光源１１１（１，２，１）に対する１光源点灯制御が行われる。
以降の処理については説明を割愛する。
【００４９】
図１１（Ｂ）は、図１１（Ａ）の一覧表における選択順序と、正面方向（カラー液晶パネル１０５側）から見た場合の光源の位置との関係を示す模式図である。
１番目から５番目の処理では、エリア１〜５の左から４番目の５つの光源１１１が順番に選択される。即ち、左から４番目の５つの光源が上から順に１光源点灯制御の対象の光源として選択される。
６番目から１０番目の処理では、右から４番目の５つの光源が上から順に１光源点灯制御の対象の光源として選択される。
１１番目から１５番目の処理では、左から３番目の５つの光源が上から順に１光源点灯制御の対象の光源として選択される。
１６番目から２０番目の処理では、右から３番目の５つの光源が上から順に１光源点灯制御の対象の光源として選択される。
２１番目から２５番目の処理では、左から２番目の５つの光源が上から順に１光源点灯制御の対象の光源として選択される。
２６番目から３０番目の処理では、右から２番目の５つの光源が上から順に１光源点灯制御の対象の光源として選択される。
３１番目から３５番目の処理では、左端の５つの光源が上から順に１光源点灯制御の対象の光源として選択される。
３６番目から４０番目の処理では、右端の５つの光源が上から順に１光源点灯制御の対象の光源として選択される。
【００５０】
なお、複数の発光領域のそれぞれにおいてその発光領域における輝度変動の低周波成分の周波数が６０Ｈｚ以上となる順番が複数存在することがある。その場合には、複数の順番のうち低周波成分の振幅がより小さい順番で、１光源点灯制御の対象の光源が選択されることが好ましい。特に、複数の順番のうち低周波成分の振幅が最小となる順番で、１光源点灯制御の対象の光源が選択されることが好ましい。それにより、フリッカをより知覚され難くすることができる。
【００５１】
図１２（Ａ）は、図９（Ａ）の選択順序に比べて小さい振幅の低周波成分を得ることのできる選択順序の一例を示す図である。
図１２（Ａ）の例では、小さな輝度低下が可能な限り連続して発生せず、且つ、大きな輝度低下も可能な限り連続して発生しないように選択順序が決定されている。
１番目の処理では、光源１１１（１，１，１）に対する１光源点灯制御が行われる。
２番目の処理では、光源１１１（４，１，１）に対する１光源点灯制御が行われる。
３番目の処理では、光源１１１（２，１，１）に対する１光源点灯制御が行われる。
４番目の処理では、光源１１１（３，１，１）に対する１光源点灯制御が行われる。
５番目の処理では、光源１１１（５，１，１）に対する１光源点灯制御が行われる。
６番目の処理では、再びエリア１の光源１１１に対する１光源点灯制御が行われる。具体的には、光源１１１（１，２，１）に対する１光源点灯制御が行われる。
以降の処理については説明を割愛する。
【００５２】
図１２（Ｂ）は、図１２（Ａ）の一覧表における選択順序と、正面方向（カラー液晶パネル１０５側）から見た場合の光源の位置との関係を示す模式図である。
１番目の処理では、エリア１の光源１１１が１光源点灯制御の対象の光源として選択されるが、２番目の処理では、飛んでエリア４の光源１１１が１光源点灯制御の対象の光源として選択される。３番目の処理では、戻ってエリア２の光源１１１が１光源点灯制御の対象の光源として選択される。４番目の処理ではエリア３の光源１１１が１光源点灯制御の対象の光源として選択され、５番目の処理ではエリア５の光源１１１が１光源点灯制御の対象の光源として選択される。６〜４０番目の処理では、１〜５番目の処理と同様の順番で光源を選択する処理が、合計７回繰り返される。
【００５３】
図１３（Ａ）は、図１２（Ａ）の一覧表の選択順序に従って１光源点灯制御を行った場合のエリア３の輝度低下量を示すタイミング図である。
１光源点灯制御の１サイクル（制御１サイクル）においては、１光源点灯制御が合計４０回行われる。１番目の処理３２１ではエリア１の光源に対する１光源点灯制御が行われるため、エリア３の輝度低下量は図７に示したように３５と小さい。２番目の処理ではエリア４の光源に対する１光源点灯制御が行われるため、エリア３の輝度低下量は最も大きな値１００となる。３番目の処理ではエリア２の光源に対する１光源点灯制御が行われるため、エリア３の輝度低下量は３５と小さい。４番目の処理ではエリア３の光源に対する１光源点灯制御が行われるため、エリア３の輝度低下量は８０と大きい。５番目の処理ではエリア５の光源に対する１光源点灯制御が行われるため、エリア３の輝度低下量は８０と大きい。その後、６番目の処理から４０番目の処理３２２までの間、１番目の処理から５番目の処理までの輝度低下と同様の輝度低下が合計７回繰り返し発生する。以降は、再び１番目の処理から繰り返される。
【００５４】
図１３（Ｂ）は、図３（Ｂ）に示すような発光が行われているときに図１３（Ａ）に示す輝度低下が生じた場合の、エリア３の輝度を示す図である。図１３（Ｂ）には、発光の１周期（本実施形態では１／３００秒）毎の輝度が示されている。図１３（Ｂ）において、破線は、１光源点灯制御を行わなかった場合の輝度（通常輝度）を示す。図１３（Ｂ）に示すように、１光源点灯制御を行わない場合には輝度変動は生じない。しかし、１光源点灯制御を行うと、図１３（Ａ）の輝度低下が生じてしまう。その結果、図１３（Ｂ）に示すようにエリア３の輝度は変動してしまう。
【００５５】
図１３（Ｃ）は、図１３（Ｂ）の輝度変動をユーザ（人間）が見た場合に、ユーザが知覚する知覚輝度を示すタイミング図である。
図１３（Ｂ）に示したような輝度変動が発生すると、図１３（Ｃ）に示すように、ユーザが知覚する知覚輝度の変動サイクルは十分に短いサイクルとなる。換言すれば、知覚輝度の変動周波数は十分に小さい値となる。具体的には、図１２（Ａ）の一覧表の選択順序に従って１／３００秒毎に合計４０回の１光源点灯制御が行われると、知覚輝度の変動サイクルは１／３００秒×５＝１／６０秒となる。換言すれば、知覚輝度の変動周波数は、
フリッカとして知覚され難い周波数６０Ｈｚとなる。また、小さな輝度低下が可能な限り連続して発生せず、且つ、大きな輝度低下も可能な限り連続して発生しないような順番で１光源点制御の対象の光源を選択したことにより、知覚輝度の変動振幅３２３が図１０（Ｃ）に比べて低い値となる。その結果、フリッカをより知覚され難くすることができる。
【００５６】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００５７】
１０１  光源基板
１１１  光源
１１３  光センサ
１２５  マイコン
【図１】
2015043287.tif 000003
【図２】
2015043287.tif 000004
【図３】
2015043287.tif 000005
【図４】
2015043287.tif 000006
【図５】
2015043287.tif 000007
【図６】
2015043287.tif 000008
【図７】
2015043287.tif 000009
【図８】
2015043287.tif 000010
【図９】
2015043287.tif 000011
【図１０】
2015043287.tif 000012
【図１１】
2015043287.tif 000013
【図１２】
2015043287.tif 000014
【図１３】
2015043287.tif 000015